(57)【要約】【課題】簡単にごみ袋を装着でき、美観にも優れたごみ箱を提供することである。【解決手段】複数層に重ね合わせた複数枚のごみ袋３をごみ箱本体１の上部開口から該ごみ箱本体１内に収容し、かつ各ごみ袋３の手提げ部分３ａを含む上端部をごみ箱本体１の外面側に折り返すようにしたごみ箱であって、前記ごみ箱本体１の外面上部に、前記ごみ袋３の手提げ部分３ａを掛止するためのアーム２を取付けると共に、該アーム２はごみ箱本体１への取付け基端部２ａを中心としてごみ箱本体１の上方から側方を経てごみ箱本体の外面までの間を回動自在になるように構成されている。【選択図】図３
0003117990.tif 000002
【実用新案登録請求の範囲】
【請求項１】
ごみ袋をごみ箱本体の上部開口から該ごみ箱本体内に収容し、かつごみ袋の手提げ部分を含む上端部をごみ箱本体の外面側に折り返すようにしたごみ箱であって、
前記ごみ箱本体の外面上部に、前記ごみ袋の手提げ部分を掛止するためのアームを取付けると共に、該アームはごみ箱本体への取付け基端部を中心としてごみ箱本体の上方から側方を経てごみ箱本体の外面までの間を回動自在になるように構成されていることを特徴とするごみ箱。
【請求項２】
前記アームがごみ箱本体の対向する外面上部にそれぞれ取り付けられている請求項１に記載のごみ箱。
【請求項３】
前記ごみ箱本体の上部開口が円形であり、一対のアームの取付け基端部がごみ箱本体外面に近接して設けられており、かつ前記ごみ袋の手提げ部分を掛止するための掛止部がごみ箱本体の対向する外面上部にそれぞれ位置するように、前記アームがごみ箱本体の外面形状に沿った略半円形で構成されている請求項１または２に記載のごみ箱。
【考案の詳細な説明】
【技術分野】
【０００１】
本考案は、特に複数枚のごみ袋を収容した、使い勝手のよいごみ箱に関する。
【背景技術】
【０００２】
家庭や職場等では、必ず部屋にごみ箱が必要である。ごみ箱内のごみを捨てる際に、あらかじめごみ箱内にごみ袋を装着しておくと、捨てるときに手が汚れたりせず、簡単である。そのため、スーパーマーケットなどで買い物時に商品を入れるプラスチックフィルム製の買い物袋をごみ箱内に装着することが行われる。このようなごみ箱は、特許文献１〜４に記載のように種々提案されている。
【０００３】
また、複数層に重ね合わせた複数枚のごみ袋をごみ箱内に装着しておくと、ごみを捨てるとき、１枚ずつ取り出していけばよいので、便利である。
【０００４】
しかし、複数枚のごみ袋をごみ箱内に装着するのは手間がかかるという問題があり、また１枚ずつ上から取り出しにくいという問題がある。
【０００５】
【特許文献１】特開平６−１５６６０４号公報
【特許文献２】特開平６−１５６６０５号公報
【特許文献３】特開平９−３０９６０３号公報
【特許文献４】特開平９‐３０９６０２号公報
【考案の開示】
【考案が解決しようとする課題】
【０００６】
本考案は、上記問題点に鑑みてなされたものであって、簡単にごみ袋を装着でき、美観にも優れたごみ箱を提供することを課題とする。
【課題を解決するための手段】
【０００７】
本考案者は、上記問題に鑑み鋭意研究を重ねた結果、従来から集合住宅における各戸のドア横の壁面に取付けられている不用となった牛乳受けボックスに着目し、この牛乳受けボックスを利用すれば、外観を損なうことなく、簡単に埋め込み型の新聞受け装置を提供することができるという新たな事実を見出し、本考案を完成するに至った。
【０００８】
すなわち、本考案のごみ箱は、以下の構成を有する。
（1）複数層に重ね合わせた複数枚のごみ袋をごみ箱本体の上部開口から該ごみ箱本体内に収容し、かつ各ごみ袋の手提げ部分を含む上端部をごみ箱本体の外面側に折り返すようにしたごみ箱であって、前記ごみ箱本体の外面上部に、前記ごみ袋の手提げ部分を掛止するためのアームを取付けると共に、該アームはごみ箱本体への取付け基端部を中心としてごみ箱本体の上方から側方を経てごみ箱本体の外面までの間を回動自在になるように構成されていることを特徴とするごみ箱。
（2）前記アームがごみ箱本体の対向する外面上部にそれぞれ取り付けられている（1）に記載のごみ箱。
（3）前記ごみ箱本体の上部開口が円形であり、一対のアームの取付け基端部がごみ箱本体外面に近接して設けられており、かつ前記ごみ袋の手提げ部分を掛止するための掛止部がごみ箱本体の対向する外面上部にそれぞれ位置するように、前記アームがごみ箱本体の外面形状に沿った略半円形で構成されている（1）または（2）に記載のごみ箱。
【考案の効果】
【０００９】
上記（1）〜（3）の本考案によれば、ごみ箱本体の外面上部に、前記ごみ袋の手提げ部分を掛止するためのアームを回動自在に取付けたので、ごみ箱本体の上方にあるアームにごみ袋の手提げ部分を引っ掛け、ついでアームを経てごみ箱本体の外面まで回動させることにより、殆どワンタッチで簡単にごみ袋を装着でき、しかごみ袋も装着後の美観にも優れているという効果がある。
【考案を実施するための最良の形態】
【００１０】
＜第１の実施形態＞
図１は本考案の一実施形態に係るごみ箱を示しており、同図(a)はその部分平面図、同図（b）はその正面図であり、同図(ｃ)はアームを立ち上げた状態を示す正面図である。
【００１１】
図１(a)〜（ｃ）に示すように、この実施形態に係るごみ箱は、ごみ箱本体１の外面上部にアーム２が取付けられている。該アーム２は、ごみ箱本体１への取付け基端部２ａを中心としてごみ箱本体１の上方（図１（ｃ）の状態）から側方を経てごみ箱本体の外面（図１（ｂ）の状態）までの間を回動自在になるように取り付けたものである。
【００１２】
アーム２は、図２に示すような形状を有し、矢印で示す方向に開くことができる弾性を有する。この弾性を利用して、ごみ箱本体１の外面に一体成形で形成された差込孔６に基端部２ａを差し込む。アーム２の先端部には、略コ字形の掛止部２ｂが一体に形成されている。
【００１３】
使用に際しては、図３（ａ）に示すように、複数層に重ね合わせた複数枚のごみ袋３の各手提げ部分３ａを、上方に立ち上がったアーム２の掛止部２ｂに引っ掛け、ついで図３（ａ）に矢印で示すように、アーム２を下方に回動させる。図３（ｂ）はごみ袋３の装着状態を示しており、ごみ袋３はごみ箱本体１の外面に折り返された上部が、該本体１の外面に密着するようになるので、美観が向上する。特に、図３（ｂ）に示す状態で、カラフルな色や模様が施されたバンド４をごみ箱本体１の外周面上に嵌めると、ごみ箱の美観が一層向上する。
【００１４】
また、図４に示すように、アーム２を鉛直線に対して所定の角度（例えば３０°）に保持させると、ベロ部５を下に引張っることにより、ごみ箱本体１の上部にごみ袋３を装着固定することができる。
【００１５】
図５は図１に示すごみ箱の変形例を示している。すなわち、図５に示すごみ箱は、アーム２１が略ロ字形で構成されており（図６を参照）、ごみ箱本体１の外面上部に設けた保持部７で基端部２１ａが回動自在に保持されている。また、ア−ムの先端部２１ｂには、ごみ袋の手提げ部分を掛止するための掛止部２１ｂが設けられている。その他は、前記の実施形態と同様である。
【００１６】
＜第２の実施形態＞
本考案の他の実施形態を図７および図８に示す。図７(a) はこの実施形態に係るごみ箱の正面図、図７（b）はその平面図である。この実施形態に係るごみ箱は、いわゆるバケツ形といえるものであって、ごみ箱本体７の上部開口が円形であり、一対のアーム８,８の取付け基端部８ａがごみ箱本体７の外面に近接して設けられており、かつごみ袋３の手提げ部分３ａを掛止するための掛止部８ａがごみ箱本体７の対向する外面上部にそれぞれ位置するように、前記アーム８がごみ箱本体７の外面形状に沿った略半円形で構成されている。
【００１７】
図８はアーム８の動作を示しており、基端部８ａを中心にごみ箱本体７の上方から外面まで回動可能である。このごみ箱では、複数層に重ね合わせた複数枚のごみ袋３の各手提げ部分３ａを掛止部８ａに掛止したのち、アーム８を下方に回動させるだけで簡単にごみ袋３を装着することができる。
【００１８】
図９はこの実施形態の変形例を示しており、同図にしめすようなアーム９を用いると、アーム９は図９（ａ）に状態で、掛止部８ａに手提げ部分３ａを掛止させて、一枚目のごみ袋３を装着すると、アーム９はこの姿勢を維持するので、２枚目、３枚目…ののごみ袋３を簡単に装着することができる。
【図面の簡単な説明】
【００１９】
【図１】本考案の一実施形態に係るごみ箱を示しており、(a)はその部分平面図、（b）はその正面図、(ｃ)はアームを立ち上げた状態を示す正面図である。
【図２】(a) 、（b）はそれぞれア-ムの形状を示す正面図および側面図である。
【図３】(a) 、（b）はそれぞれ図１に示すごみ箱の使用方法を示すを示す説明図である。
【図４】他の使用方法を示すを示す説明図である。
【図５】本考案に係る上記実施形態の一変形例を示しており、(a)はその部分平面図、（b）はその正面図、(ｃ)はアームを立ち上げた状態を示す正面図である。
【図６】(a) 、（b）はそれぞれアームの形状を示す正面図および側面図である。
【図７】本考案の他の実施形態を示しており、(a)はごみ袋を装着するためにアームを立ち上げた状態での正面図、（b）はその平面図である。
【図８】アームの動作を示す説明図である。
【図９】本考案に係る上記他の実施形態の一変形例を示しており、(a) はごみ袋を装着するためにアームを側方に広げた状態での正面図、（b）はごみ袋の装着状態を示す正面図である。
【符号の説明】
【００２０】
１・・・ごみ箱本体
２・・・アーム
３・・・ごみ袋
４・・・バンド
５・・・ベロ部
６・・・指し込み孔
７・・・ごみ箱本体
８・・・アーム
９・・・アーム
【図１】
0003117990.tif 000003
【図２】
0003117990.tif 000004
【図３】
0003117990.tif 000005
【図４】
0003117990.tif 000006
【図５】
0003117990.tif 000007
【図６】
0003117990.tif 000008
【図７】
0003117990.tif 000009
【図８】
0003117990.tif 000010
【図９】
0003117990.tif 000011